(57)【特許請求の範囲】
【請求項１】
内部に湯水を貯える貯湯タンク（１０）と、
前記貯湯タンク内の下部の水を加熱して沸き上げ、高温水として前記貯湯タンクの上部から貯える沸き上げ装置（５０）と、
浴槽（６０）の浴水が有する熱を熱交換により前記下部の水に移動させて前記浴水の温度を低下させる浴水温低下装置（３）と、
前記沸き上げ装置及び前記浴水温低下装置の運転を制御する制御装置（８０）と、を備え、
前記制御装置は、
前記浴水温低下装置を運転する際に前記浴水が有する熱を受ける前記下部の水の量を受熱用水量として予め設定する水量設定部（８５）と、
前記沸き上げ装置を運転する沸き上げ運転部（８１）と、を有し、
前記沸き上げ運転部は、前記水量設定部が設定した前記受熱用水量の水を前記下部に残すように前記沸き上げ装置を運転する水確保運転部（８３、１７０Ａ、２７０Ａ）を具備する貯湯式給湯装置。
【請求項２】
前記水量設定部は、所定期間の前記浴水温低下装置の運転実績に基づいて、予め設定する前記受熱用水量を変更する請求項１に記載の貯湯式給湯装置。
【請求項３】
前記水確保運転部は、
前記貯湯タンクの容量から前記水量設定部が設定した前記受熱用水量を減算した量の湯水が目標貯湯熱量を貯えるように沸き上げ温度を決定する水確保沸き上げ温度決定部（８３ａ）を有し、
前記水確保沸き上げ温度決定部が決定した前記沸き上げ温度で前記減算した量の湯水を沸き上げるように前記沸き上げ装置を運転する請求項１又は請求項２に記載の貯湯式給湯装置。
【請求項４】
前記水確保運転部は、
前記貯湯タンクの容量の湯水が目標貯湯熱量を貯えるように沸き上げ温度を決定する通常沸き上げ温度決定部（８２ａ）を有し、
前記通常沸き上げ温度決定部が決定した前記沸き上げ温度で前記沸き上げ装置を運転し、前記貯湯タンクの容量から前記水量設定部が設定した前記受熱用水量を減算した量の湯水を沸き上げた時点で、前記沸き上げ装置の運転を中止する請求項１又は請求項２に記載の貯湯式給湯装置。
【請求項５】
前記水確保運転部による前記沸き上げ装置の運転を行うか否かを、使用者が選択的に設定可能な水確保運転設定部（９６）を備える請求項１〜請求項４のいずれか一項に記載の貯湯式給湯装置。
【請求項６】
前記水確保運転設定部において設定された、前記水確保運転部による前記沸き上げ装置の運転を行うか否かの設定状態を表示する設定状態表示部（９１ａ）を備える請求項５に記載の貯湯式給湯装置。
【請求項７】
前記浴槽に所定量以上の浴水があるか否かを検出する残湯検出部（８６）を備え、
前記沸き上げ運転部は、前記残湯検出部が前記所定量以上の浴水がないことを検出した場合には、前記水確保運転部による前記沸き上げ装置の運転を禁止する請求項１〜請求項６のいずれか一項に記載の貯湯式給湯装置。
【請求項８】
前記水確保運転部による前記沸き上げ装置の運転が行なわれているか否かの運転状態を表示する運転状態表示部（９１ｂ）を備える請求項１〜請求項７のいずれか一項に記載の貯湯式給湯装置。
【発明の詳細な説明】
【技術分野】
【０００１】
ここに開示される技術は、貯湯式の給湯装置に関する。
【背景技術】
【０００２】
従来技術として、例えば下記特許文献１に開示された給湯装置がある。この給湯装置は、浴槽内の浴水の熱を熱交換により貯湯タンク内へ移動させて浴水の温度を低下させる熱回収運転を行う。
【先行技術文献】
【特許文献】
【０００３】
【特許文献１】特開２０１３−１８１６８６号公報
【発明の概要】
【発明が解決しようとする課題】
【０００４】
しかしながら、上記従来技術の給湯装置では、貯湯タンク内の湯水との熱交換により浴水の温度を低下できない場合があるという問題がある。例えば、貯湯タンク内が高温の湯で満たされている場合には、浴槽内の浴水の熱を熱交換により貯湯タンク内の湯水へ移動することができない。このような場合には、浴水の温度を低下することができない。
【０００５】
ここに開示される技術は、上記点に鑑みてなされたものであり、貯湯タンク内の湯水との熱交換により浴水の温度を確実に低下させることが可能な貯湯式給湯装置を提供することを目的とする。
【課題を解決するための手段】
【０００６】
上記目的を達成するため、開示される貯湯式給湯装置では、
内部に湯水を貯える貯湯タンク（１０）と、
貯湯タンク内の下部の水を加熱して沸き上げ、高温水として貯湯タンクの上部から貯える沸き上げ装置（５０）と、
浴槽（６０）の浴水が有する熱を熱交換により貯湯タンク内の下部の水に移動させて浴水の温度を低下させる浴水温低下装置（３）と、
沸き上げ装置及び浴水温低下装置の運転を制御する制御装置（８０）と、を備え、
制御装置は、
浴水温低下装置を運転する際に浴水が有する熱を受ける貯湯タンク内の下部の水の量を受熱用水量として予め設定する水量設定部（８５）と、
沸き上げ装置を運転する沸き上げ運転部（８１）と、を有し、
沸き上げ運転部は、水量設定部が設定した受熱用水量の水を貯湯タンク内の下部に残すように沸き上げ装置を運転する水確保運転部（８３、１７０Ａ、２７０Ａ）を具備する。
【０００７】
これによると、制御装置の沸き上げ運転部が、水確保運転部により沸き上げ装置を運転して貯湯タンク内の湯水を沸き上げる場合には、水量設定部が予め設定した受熱用水量の水を貯湯タンク内の下部に残すことができる。したがって、制御装置が浴水温低下装置を運転するときには、浴槽の浴水が有する熱を熱交換により貯湯タンク内の下部に残された水に移動することができる。このようにして、貯湯タンク内の湯水との熱交換により浴水の温度を確実に低下させることができる。
【０００８】
なお、特許請求の範囲およびこの項に記載した括弧内の符号は、ひとつの態様として後述する実施形態に記載の具体的手段との対応関係を示すものであって、開示技術の範囲を限定するものではない。
【図面の簡単な説明】
【０００９】
【図１】第１実施形態に係る給湯装置の構成図である。
【図２】第１実施形態に係る給湯装置の制御システムを示すブロック図である。
【図３】第１実施形態に係る給湯装置の自動保温制御動作を示すフローチャートである。
【図４】第１実施形態に係る給湯装置の沸き上げ運転制御動作を示すフローチャートである。
【図５】第２実施形態に係る給湯装置の沸き上げ運転制御動作を示すフローチャートである。
【図６】他の実施形態に係る給湯装置の沸き上げ運転制御動作を示すフローチャートである。
【発明を実施するための形態】
【００１０】
以下に、図面を参照しながら開示技術を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１１】
（第１実施形態）
開示技術を適用した第１実施形態について、図１〜図４を参照して説明する。図１に示す貯湯式の給湯装置１は、貯湯タンク１０と、浴槽用熱交換器３０と、ヒートポンプユニット５０と、を備えて構成される。以下、ヒートポンプユニットをＨＰユニットと表記する場合がある。
【００１２】
貯湯タンク１０は、耐食性に優れた金属製、例えばステンレス製の容器で構成される。貯湯タンク１０は中空円柱状で、その軸方向が鉛直方向に延びる縦長形状に形成されている。貯湯タンク１０は、外表面を断熱材で覆う断熱構造または二重タンクによる真空断熱構造等を有しているため、高温の給湯水を長時間保温することができる。貯湯タンク１０は、ＨＰユニット５０によって加熱された給湯水を貯湯する。
【００１３】
貯湯タンク１０には、タンク水温サーミスタ７１が設けられている。タンク水温サーミスタ７１は、貯湯タンク１０の高さ方向に複数個分散されて設けられている。タンク水温サーミスタ７１は、貯湯タンク１０に貯められた給湯水の貯湯量および貯湯温度を検出するためのタンク温度検出器である。タンク水温サーミスタ７１は貯湯タンク１０内のそれぞれの高さレベルでの温度信号を図２に示す制御装置８０に出力する。
【００１４】
貯湯タンク１０の下部には、下方開口部１０ａが設けられる。下方開口部１０ａは貯湯タンク１０の下方側の給湯水を流出させる流出口である。また下方開口部１０ａは貯湯タンク１０内へ水道水を流入させる流入口である。貯湯タンク１０へ流入する水道水は、給水配管１１によって供給される。
【００１５】
入口側給湯水配管２１ａは、下方開口部１０ａから流出した貯湯タンク１０下方側の給湯水または給水配管１１によって供給される水道水をＨＰユニット５０へと導く。入口側給湯水配管２１ａにはバイパス配管２１ｃが接続されている。バイパス配管２１ｃは、下方開口部１０ａから流出した貯湯タンク１０下方側の給湯水または給水配管１１によって供給される水道水を、ＨＰユニット５０を迂回して三方弁５２へと導くことを可能とする。
【００１６】
ＨＰユニット５０は、冷媒として臨界温度の低い二酸化炭素を使用する超臨界のヒートポンプサイクルと、ヒートポンプサイクルに水を圧送する沸上用水ポンプ５１と、を有して構成されている。超臨界のヒートポンプサイクルによれば、一般的なヒートポンプサイクルよりも高温、例えば８５℃〜９０℃の湯を貯湯タンク１０内に貯えることができる。
【００１７】
沸上用水ポンプ５１は、入口側給湯水配管２１ａに配置される電動式の水ポンプである。沸上用水ポンプ５１は、貯湯タンク１０の下方側の給湯水あるいは給水配管１１によって供給される水道水を水冷媒熱交換器の水通路へ圧送する。沸上用水ポンプ５１は、制御装置８０によって制御される。
【００１８】
ヒートポンプサイクルは、複数の冷凍サイクル機能部品を備える。複数の冷凍サイクル機能部品とは、少なくとも電動式の圧縮機、水冷媒熱交換器、電気式の膨張弁、空気熱交換器、およびアキュムレータである。これら冷凍サイクル機能部品は、冷媒が流通する通路により接続されている。空気熱交換器の近傍には、空気熱交換器に対して空気を送風する送風機が設けられている。
【００１９】
膨張弁は、水冷媒熱交換器から流出する高圧の冷媒を減圧する減圧手段であり、制御装置８０によってその弁開度が電気的に制御される。空気熱交換器は、膨張弁で減圧された冷媒を送風機によって送風される室外空気との熱交換によって蒸発気化させ、圧縮機にガス冷媒を供給する。送風機は、空気熱交換器の熱交換性能を確保するように制御装置８０によってその回転数が制御される。アキュムレータは、空気熱交換器から流出する冷媒を気液分離して、気相冷媒のみ圧縮機に吸引させるとともに、サイクル中の余剰冷媒を貯える。
【００２０】
水冷媒熱交換器は、圧縮機の吐出口より吐出された高温高圧の冷媒によって、沸上用水ポンプ５１により圧送された給湯水または水道水を加熱する加熱用熱交換器である。水冷媒熱交換器は、冷媒を流通させる冷媒通路と給湯水を流通させる水通路とを有している。水冷媒熱交換器は、例えば、冷媒通路の表面と水通路の表面とが熱交換可能に密着するように配置された二層構造となっている。水通路の入口側には、入口側給湯水配管２１ａを介して下方開口部１０ａが接続されている。また、水通路の出口側には、出口側給湯水配管２１ｂを介して、第１継手２２の流入出口の１つが接続されている。第１継手２２は、３つの流入出口を有する三方継手である。
【００２１】
第１継手２２の別の流入出口には、浴槽用熱交換器３０の給湯水側通路３０ａの入口側が接続されている。第１継手２２のさらに別の流入出口には、三方弁５２の１つの流入出口が接続されている。三方弁５２の別の流入出口には、貯湯タンク１０の上方側に設けられた第１上方開口部１０ｂが接続されている。三方弁５２のさらに別の流入出口には、バイパス配管２１ｃの出口側が接続されている。
【００２２】
三方弁５２は、給湯水の流路を切り替える切替弁である。三方弁５２は、下方開口部１０ａと第１継手２２とをバイパス配管２１ｃを介して連通する流路と、下方開口部１０ａと第１上方開口部１０ｂとを出口側給湯水配管２１ｂを介して連通する流路とを切り替える。三方弁５２は、制御装置８０によって制御される。
【００２３】
水冷媒熱交換器によって加熱された給湯水は、第１継手２２および三方弁５２を介して、貯湯タンク１０の第１上方開口部１０ｂから貯湯タンク１０内へ流入する。したがって、貯湯タンク１０内の給湯水は、上方側から下方側へ向かって温度が徐々に低下する温度分布が生じやすい。ＨＰユニット５０は、貯湯タンク１０内の下部の水を加熱して沸き上げ、高温水として貯湯タンク１０の上部から貯えることができる。ＨＰユニット５０は、本実施形態における沸き上げ装置に相当する。
【００２４】
第２上方開口部１０ｃは、貯湯タンク１０の上部に設けられ、貯湯タンク１０内の給湯水のうち上方側の高温の給湯水を流出させる流出口である。第２上方開口部１０ｃには、中温用混合弁５３の一方の流入口が接続されている。
【００２５】
貯湯タンク１０の中間部には、第１中間開口部１０ｄが設けられている。第１中間開口部１０ｄは、貯湯タンク１０内に貯湯された給湯水のうち上下方向中間部位の中間温度の給湯水を流出させる流出口である。第１中間開口部１０ｄには中温用混合弁５３の他方の流入口が接続されている。なお、中間温度の給湯水は中温水と言い換えることができる。貯湯タンク１０の中間部には、さらに第２中間開口部１０ｅが設けられている。第２中間開口部１０ｅは、浴槽用熱交換器３０の給湯水側通路３０ａを通過した湯水が流入する開口部である。
【００２６】
中温用混合弁５３は、第２上方開口部１０ｃから流出した給湯水と第１中間開口部１０ｄから流出した給湯水との混合比率を調整して、下流側に流出させる給湯水の温度を調整する温度調整弁である。中温用混合弁５３は、例えば第２上方開口部１０ｃからの給湯水が流れる通路の断面積と、第１中間開口部１０ｄからの給湯水が流れる通路の断面積とを同時に変化させる弁体およびこの弁体を変位させる電動アクチュエータを有する式の流量調整弁で構成される。中温用混合弁５３は、制御装置８０によって制御される。
【００２７】
中温用混合弁５３の出口側には、浴槽用混合弁５４の一方の流入口が接続されている。浴槽用混合弁５４の他方の流入口には、給水配管１１が接続されている。浴槽用混合弁５４は、中温用混合弁５３から流出する給湯水と給水配管１１から供給される水道水との混合比率を調整して、下流側に流出させる給湯水の温度を調整する温度調整弁である。浴槽用混合弁５４は、制御装置８０によって制御される。
【００２８】
浴槽用混合弁５４の出口側には、浴槽用開閉弁５５を介して、浴槽用水循環回路４４ａに配置された第２継手４３のひとつの流入出口が接続されている。第２継手４３は、３つの流入出口を有する三方継手である。浴槽用開閉弁５５は、浴槽用混合弁５４の出口側と浴槽用水循環回路４４ａとを接続する浴槽用配管４４ｂを開閉するものであって、制御装置８０から出力される制御信号によってその作動が制御される電磁弁である。浴槽用混合弁５４から流出した給湯水は、浴槽用開閉弁５５、第２継手４３を介して浴槽６０内へ供給される。
【００２９】
浴槽用水循環回路４４ａは、浴槽６０内と浴槽用熱交換器３０の浴槽用湯通路３０ｂとの間で、浴槽６０から流出した浴槽６０内の湯水を循環させる水循環回路である。なお、浴槽６０から流出した浴槽６０内の湯水は、浴槽用湯水又は浴水と言い換えることができる。浴槽用水循環回路４４ａには、浴槽用水ポンプ５７と、水位センサ７３とが配置されている。浴槽用水ポンプ５７は、浴槽６０の上下方向中間位置に設けられた浴槽用湯吸入口から浴槽用湯水を吸入して浴槽用湯通路３０ｂへ圧送する電動式の水ポンプである。浴槽用水ポンプ５７は、制御装置８０によって制御される。水位センサ７３は、浴槽用湯吸入口近傍に設けられ、検出された水圧の変化等によって浴槽６０内の湯水の量を検出するセンサである。水位センサ７３は、検出した水位情報を制御装置８０へと出力する。
【００３０】
浴槽用水ポンプ５７の吐出口側には、第２継手４３の別の流入出口が接続されており、第２継手４３のさらに別の流入出口には、浴槽用湯通路３０ｂの入口側が接続されている。浴槽用湯通路３０ｂの出口側には、浴槽６０の下方側に配置された浴槽用湯吐出口が接続されている。
【００３１】
浴槽用熱交換器３０は、第１継手２２から流出した給湯水を流通させる給湯水側通路３０ａと、浴槽用水循環回路４４ａを循環する浴槽用湯水を流通させる浴槽用湯通路３０ｂとを有する。浴槽用熱交換器３０は、給湯水側通路３０ａを流通する給湯水と浴槽用湯通路３０ｂを流通する浴槽用湯水とを熱交換させる熱交換器である。これにより、浴槽用熱交換器３０はＨＰユニット５０によって加熱された給湯水または貯湯タンク１０内の給湯水と浴槽６０内の湯水とを熱交換し追い焚き運転や風呂熱回収運転等を実現する。
【００３２】
給湯水側通路３０ａの出口側には、給湯水側通路３０ａから流出した給湯水を第２中間開口部１０ｅへ圧送する給湯水ポンプ５６が配置されている。給湯水ポンプ５６は、制御装置８０によってその作動を制御される電動式の水ポンプである。
【００３３】
貯湯タンク１０内の下部の水と浴槽６０内の浴水とを浴槽用熱交換器３０で熱交換して風呂熱回収運転が実現されると、浴槽６０の浴水が有する熱が貯湯タンク１０の下部の水に移動され、浴水の温度が低下される。風呂熱回収運転が行なわれるとき、浴槽用熱交換器３０、バイパス配管２１ｃ、給湯水ポンプ５６、浴槽用水循環回路４４ａ、浴槽用水ポンプ５７等からなる熱移動のための構成は、浴水温低下装置３と呼ぶことができる。浴水温低下装置３は、浴槽用熱交換器３０において貯湯タンク１０の下方開口部１０ａから流出し第２中間開口部１０ｅへ流れる水と浴槽用水循環回路４４ａを流れる浴水との熱交換を行なう熱交換装置である。浴水温低下装置３は、浴槽６０の浴水から貯湯タンク１０の下部の水への熱を移動させる。
【００３４】
図２に示すように、本実施形態の給湯装置１の制御システムは、制御装置８０と、コントローラ９０とを備える。制御装置８０は、コンピュータによって読み取り可能な記憶媒体を備えるマイクロコンピュータを主なハードウェア要素として備える。記憶媒体は、コンピュータによって読み取り可能な所定のプログラムを非一時的に記憶する非遷移的実体的記憶媒体である。記憶媒体は、半導体メモリまたは磁気ディスクなどによって提供されうる。
【００３５】
制御装置８０は、上述の各制御対象機器と各種センサとが接続されるインターフェイス部と、各種判定処理を行う処理部と、プログラムや検出した各種データを記憶する記憶部と、を備える。
【００３６】
インターフェンス部には、ＨＰユニット５０を構成する機器、三方弁５２、浴槽用水ポンプ５７、給湯水ポンプ５６、中温用混合弁５３、浴槽用混合弁５４、浴槽用開閉弁５５等が接続される。インターフェイス部は、これらの各制御対象機器に対して出力を行う。さらにインターフェイス部には、赤外線センサ７４、水位センサ７３、タンク水温サーミスタ７１、浴槽用湯温センサ７２、コントローラ９０等が接続される。インターフェイス部は、各種信号を制御装置８０へと入力する。
【００３７】
赤外線センサ７４は、浴室内の浴槽６０近傍に設けられる。赤外線センサ７４は、使用者の入浴状況を検知するためのセンサである。赤外線センサ７４は、検出される赤外線量の変化に応じて、使用者が浴槽６０内へ入浴したこと及び浴槽６０から出たことを検知する。浴槽用湯温センサ７２は、浴槽６０に設けられ、浴槽６０内の湯水の温度を検出する温度センサである。以下、浴槽６０内の湯水の温度を浴槽温度又は浴水温度と表記する場合がある。
【００３８】
コントローラ９０は、使用者による操作が可能なスイッチ部と、運転状態等が表示される表示部９１とを備える。コントローラ９０は、所謂リモコンである。コントローラ９０は、複数設けることができる。複数のコントローラの一つは、浴室の壁に設けられる浴室内コントローラである。複数のコントローラの別の一つは、浴室以外の部屋の壁、例えばキッチンやリビングの壁に設けられる浴室外コントローラである。なお、コントローラ９０、浴槽６０以外の給湯装置１の各部は、例えば屋外等の適所に設置される。
【００３９】
コントローラ９０は、操作スイッチとして、作動スイッチ９２、湯張りスイッチ９３、自動保温スイッチ９４、浴槽用温度設定スイッチ９５、冷水確保沸き上げ運転スイッチ９６等を有する。作動スイッチ９２は、給湯装置１の作動を要求する作動要求信号及び停止を要求する停止要求信号を出力するためのものである。湯張りスイッチ９３は、浴槽６０内への湯張りを要求する信号を出力するためのものである。自動保温スイッチ９４は、浴槽６０内に貯められた浴水を所望の温度にする自動保温運転の実行を要求する信号を出力するためのものである。浴槽用温度設定スイッチ９５は、浴槽６０内の浴水の目標温度を設定ためのものである。冷水確保沸き上げ運転スイッチ９６は、貯湯タンク１０内へ湯水の沸き上げを行なう際に、貯湯タンク１０の下部に所定量の冷水を残すように沸き上げる運転を要求する信号を出力するためのものである。
【００４０】
コントローラ９０には、上記したスイッチ９２〜９６以外に、足し湯スイッチ、風呂ぬるめスイッチ、追い焚きスイッチ、風呂熱回収スイッチ、給湯温度設定スイッチ等を設けることができる。給湯温度設定スイッチは、カランやシャワー等の各給湯端末から出湯される給湯水の目標出湯温度を設定するものである。
【００４１】
コントローラ９０の表示部９１は、設定状態表示部９１ａ及び運転状態表示部９１ｂを有する。設定状態表示部９１ａは、給湯装置１の運転に関する設定状態を表示する。運転状態表示部９１ｂは、実行中の運転モードに関する運転状態を表示する。表示部９１は、例えば文字表示することで設定状態や運転状態を使用者に対して視覚情報として報知する。表示部９１は、文字表示するものに限定されない。表示部９１は、例えば、記号表示するものであってもよい。また、例えば、設定状態や運転状態を各種スイッチ等に対応して点灯表示するものであってもよい。
【００４２】
設定状態表示部９１ａは、冷水確保沸き上げ運転スイッチ９６が操作されて貯湯タンク１０内に冷水を残す沸き上げ運転を行うか否かを含む設定状態を表示する。運転状態表示部９１ｂは、貯湯タンク１０内に冷水を残す沸き上げ運転が行なわれているか否かを含む運転状態を表示する。
【００４３】
制御装置８０は、機能ブロックとして、湯張り運転部、沸き上げ運転部８１、自動保温運転部８４、水量設定部８５及び残湯検出部８６等を備える。湯張り運転部は、浴槽６０内に湯を張る湯張り運転を行う。自動保温運転部８４は、浴槽６０内に溜められた浴水を設定温度に保温する自動保温運転を行う。沸き上げ運転部８１は、貯湯タンク１０内の湯水をＨＰユニット５０で沸き上げる沸き上げ運転を行う。
【００４４】
沸き上げ運転部８１は、通常沸き上げ運転部８２と、冷水確保沸き上げ運転部８３とを有する。通常沸き上げ運転部８２は、貯湯タンク１０内の全容量の湯水に対して沸き上げ運転を行う。冷水確保沸き上げ運転部８３は、貯湯タンク１０内の一部に冷水を残すように貯湯タンク１０内の残りの湯水に対して沸き上げ運転を行う。水量設定部８５は、冷水確保沸き上げ運転部８３が沸き上げ運転をする際に貯湯タンク１０内に残す水量を予め設定する。残湯検出部８６は、浴槽６０内に所定量以上の浴水が残っているか否かを検出する。
【００４５】
次に、上記構成に基づき給湯装置１の作動について説明する。給湯装置１に外部電源から電力が供給された状態で、コントローラ９０の作動スイッチ９２が投入されると、制御装置８０が予め記憶媒体に記憶している制御処理を実行する。制御装置８０は、上述した各種センサの検出信号及びコントローラ９０の操作信号に基づいて、湯張り運転、自動保温運転部８４による自動保温運転、沸き上げ運転部８１による沸き上げ運転等を実行する。
【００４６】
湯張り運転は、例えば、貯湯タンク１０内に湯張り用の熱量が貯えられている状態で、コントローラ９０の湯張りスイッチ９３が投入されると実行される。湯張り運転では、制御装置８０が、浴槽用開閉弁５５を開くとともに、中温用混合弁５３及び浴槽用混合弁５４の作動を制御する。中温用混合弁５３については、中温用混合弁５３から流出する給湯水がコントローラ９０にて設定された最高出湯温度となうように、その作動が制御される。ここで、最高出湯温度は、例えば６０℃である。浴槽用混合弁５４については、浴槽６０内へ流入する湯が、浴槽用温度設定スイッチ９５によって設定された目標温度となるように、その動作が制御される。
【００４７】
湯張り運転では、水道水の水圧によって貯湯タンク１０の第２上方開口部１０ｃから流出した高温の給湯水と、第１中間開口部１０ｄから流出した中間温度の給湯水とが、中温用混合弁５３にて混合される。さらに、中温用混合弁５３から流出した給湯水と水道水とが、浴槽用混合弁５４にて混合される。そして、浴槽用混合弁５４から流出した給湯水が、第２継手４３を介して、浴槽用水循環回路４４ａへ流入する。浴槽用水循環回路４４ａへ流入した給湯水は、浴槽用熱交換器３０の浴槽用湯通路３０ｂを介して、浴槽６０内に溜められる。
【００４８】
このとき、給湯水ポンプ５６は停止しているので、浴槽用湯通路３０ｂを流通する給湯水が浴槽用熱交換器３０にて加熱あるいは冷却されることはない。なお、浴槽用水ポンプ５７も停止しているので、浴槽用水ポンプ５７が設けられた経路からも浴槽６０内へ給湯水を湯張りすることができる。湯張り運転は、水位センサ７３によって検出された浴槽６０内の浴水の量が、予め定めた基準湯量となるまで継続される。
【００４９】
自動保温運転は、湯張り運転が完了している状態で実行される。自動保温運転について、図３を参照して説明する。制御装置８０の自動保温運転部８４は、図３に示す処理を定期的に実施する。
【００５０】
自動保温運転部８４は、まず、ステップ１００で、自動保温スイッチ９４が投入されているか否かを判断する。ステップ１００において自動保温スイッチ９４が投入されていないと判断した場合には、本処理を終了する。ステップ１００において自動保温スイッチ９４が投入されていると判断した場合には、ステップ１０２へ進み、所定条件が成立したか否かを判断する。本実施形態では、入浴者が出浴したことが検知された場合、所定条件が成立したものとなっている。
【００５１】
入浴者が出浴したか否かについては、赤外線センサ７４を用いて検知することができる。例えば、赤外線センサ７４により入浴者が検知されている状態から入浴者が検知されていない状態となった場合に、入浴者が出浴したと検知することができる。ここで、例えば赤外線センサ７４により入浴者が検知されている場合には、ステップ１０２の判断はＮＯとなり、本処理を終了する。
【００５２】
また、例えば、入浴者が浴槽６０内から出て、赤外線センサ７４により入浴者が検知されている状態から入浴者が検知されない状態になった場合、ステップ１０２の判断はＹＥＳとなり、ステップ１０４へ進む。ステップ１０４では、現在湯温を取得する。ステップ１０４では、浴槽用湯温センサ７２により、浴槽６０内に貯められた浴水の温度を現在湯温として取得する。
【００５３】
ステップ１０４を実行したら、ステップ１０６へ進み、目標湯温が現在湯温よりも低いか否かを判断する。本実施形態では、目標湯温は浴槽用温度設定スイッチ９５の操作により設定された温度となっている。目標湯温が現在湯温よりも低くなっている場合、ステップ１０６の判断はＹＥＳとなり、ステップ１０８へ進む。ステップ１０８では、現在湯温と目標湯温との差が第１の閾値αよりも大きいか否か判断する。すなわち、現在湯温と目標湯温との差の大きさが、所定値以上であるか否かを判断する。
【００５４】
現在湯温と目標湯温との差が第１の閾値αよりも大きい場合、ステップ１０８の判断はＹＥＳとなり、ステップ１１０へ進む。ステップ１１０では、風呂熱回収運転を実施する。ここで、風呂熱回収運転について説明する。
【００５５】
風呂熱回収運転は、浴槽６０内の湯水の熱を貯湯タンク１０内の給湯水へ回収するために実行される。風呂熱回収運転は、例えばコントローラ９０の風呂熱回収スイッチが操作された場合にも実行される。風呂熱回収運転では、制御装置８０が、給湯水ポンプ５６と浴槽用水ポンプ５７を作動させ、三方弁５２を下方開口部１０ａと第１継手２２とがバイパス配管２１ｃを介して接続されるように制御する。風呂熱回収運転では、沸上用水ポンプ５１は停止しており、浴槽用開閉弁５５は閉じている。
【００５６】
したがって、下方開口部１０ａから流出した貯湯タンク１０下部の低温の給湯水は、バイパス配管２１ｃ、三方弁５２および第１継手２２を介して給湯水側通路３０ａへ流入する。一方、浴槽６０から浴槽用水ポンプ５７によって圧送された浴槽用湯水は、浴槽用湯通路３０ｂへと流入する。浴槽用熱交換器３０では、給湯水側通路３０ａを通過する低温の給湯水と、浴槽用湯通路３０ｂを通過する浴槽用湯水と、が熱交換し、給湯水の温度が上昇し浴槽用湯水の温度が低下する。給湯水側通路３０ａを流出した給湯水は、給湯水ポンプ５６によって第２中間開口部１０ｅから貯湯タンク１０へと回収される。一方、浴槽用湯通路３０ｂを流出した浴槽用湯水は、浴槽６０内へと戻される。これにより、浴槽６０内の湯水の熱を貯湯タンク１０内の湯水へと回収することができる。浴水温低下装置３の運転により、浴槽６０内の浴水の熱を貯湯タンク１０内の下部の水へと回収することができる。
【００５７】
ステップ１１０を実行したら、ステップ１１２へ進み、現在湯温が目標湯温に到達したか否か判断する。ステップ１１２において現在湯温が目標湯温に到達していないと判断した場合、ステップ１１０へ戻り、風呂熱回収運転を継続する。現在湯温が目標湯温に到達すると、ステップ１１２の判断はＹＥＳとなり、風呂熱回収運転を停止して、本処理を終了する。
【００５８】
また、ステップ１０８において現在湯温と目標湯温との差が第１の閾値α以下となっている場合は、ステップ１０８の判断はＮＯとなり、風呂熱回収運転を実施することなく、本処理を終了する。
【００５９】
ステップ１０６において目標湯温が現在湯温以上であると判断した場合、ステップ１０６の判断はＮＯとなり、ステップ１１４へ進む。ステップ１１４では、現在湯温と目標湯温との差が第２の閾値βよりも大きいか否か判断する。すなわち、現在湯温と目標湯温との差の大きさが、所定値以上であるか否かを判断する。
【００６０】
現在湯温と目標湯温との差が第２の閾値βよりも大きい場合、ステップ１１４の判断はＹＥＳとなり、ステップ１１６へ進む。ステップ１１６では、追い焚き運転を実施する。ここで、追い焚き運転について説明する。
【００６１】
追い焚き運転は、貯湯タンク１０内の湯水の熱によって浴槽６０内の湯水を加熱するために実行される。追い焚き運転は、例えばコントローラ９０の追い焚きスイッチが操作された場合にも実行される。追い焚き運転では、制御装置８０が、給湯水ポンプ５６と浴槽用水ポンプ５７を作動させ、三方弁５２を第１上方開口部１０ｂと第２中間開口部１０ｅとが接続されるように制御する。追い焚き運転では、沸上用水ポンプ５１は停止しており、浴槽用開閉弁５５は閉じている。
【００６２】
したがって、第１上方開口部１０ｂから流出した高温の給湯水は、三方弁５２および第１継手２２を介して給湯水側通路３０ａへ流入する。一方、浴槽６０から浴槽用水ポンプ５７によって圧送された浴槽６０内の湯水は、浴槽用湯通路３０ｂへと流入する。浴槽用熱交換器３０では、給湯水側通路３０ａを通過する高温の給湯水と、浴槽用湯通路３０ｂを通過する浴槽用湯水と、が熱交換し、給湯水の温度が低下し浴槽用湯水の温度が上昇する。給湯水側通路３０ａを流出した給湯水は、給湯水ポンプによって第２中間開口部１０ｅから貯湯タンク１０へと回収される。一方、浴槽用湯通路３０ｂを流出した浴槽用湯水は、浴槽６０内へと戻される。これにより、貯湯タンク１０内の湯水の熱によって浴槽６０内の湯水を加熱することができる。
【００６３】
ステップ１１６を実行したら、ステップ１２０へ進み、現在湯温が目標湯温に到達したか否か判断する。ステップ１２０において現在湯温が目標湯温に到達していないと判断した場合、ステップ１１６へ戻り、追い焚き運転を継続する。現在湯温が目標湯温に到達すると、ステップ１２０の判断はＹＥＳとなり、追い焚き運転を停止して、本処理を終了する。
【００６４】
また、ステップ１１４において現在湯温と目標湯温との差が第２の閾値β以下となっている場合は、ステップ１１４の判断はＮＯとなり、追い焚き運転を実施することなく、本処理を終了する。
【００６５】
図３に示す制御フローによれば、所定の条件が成立したと判断した場合、予め設定された目標湯温と浴槽６０内の浴水の現在温度とに基づいて、追い焚き運転と風呂熱回収運転とを選択的に行なって浴槽６０内の浴水の温度を調整できる。なお、ステップ１０２における所定条件とは、入浴者の出浴に限定されるものではない。例えば、入浴者の入浴であってもよい。また、例えば、入浴者の入浴又は出浴から所定時間の経過を検知するものであってもよい。また、例えば、コントローラ９０の浴槽用温度設定スイッチ９５を操作することによる設定温度の変更であってもよい。
【００６６】
また、図３に示すフローでは説明しなかったが、浴槽６０内の浴水量も調整することができる。浴槽６０内の現在水位が目標水位よりも低い場合には、水を補って目標水位に到達させ、この水位調整と合わせて、風呂熱回収運転又は追い焚き運転を行うものであってもよい。また、差し水運転や足し湯運転により、水位調整及び浴水温調整を行うものであってもよい。
【００６７】
差し水運転は、水道水を浴槽６０内に供給することで浴槽温度を低下させるために実行される。差し水運転は、例えばコントローラ９０の風呂ぬるめスイッチが操作された場合にも実行される。差し水運転では、制御装置８０が、水道水を浴槽用配管４４ｂへと流入させるように浴槽用混合弁５４を制御する。したがって、水道水は浴槽用混合弁５４、浴槽用開閉弁５５、浴槽用配管４４ｂを通過して浴槽６０へと流入する。
【００６８】
足し湯運転は、高温の給湯水によって浴槽温度を上昇するために実行される。足し湯運転は、例えばコントローラ９０の足し湯スイッチが操作された場合にも実行される。足し湯運転では、制御装置８０は、中温用混合弁５３と浴槽用混合弁５４と浴槽用開閉弁５５を制御し、第２上方開口部１０ｃと浴槽用配管４４ｂとを連通させる。したがって、第２上方開口部１０ｃから流出した高温の給湯水は、中温用混合弁５３、浴槽用混合弁５４、浴槽用開閉弁５５を通過し、浴槽６０内へと供給される。これにより、高温の給湯水を浴槽６０内に加え、浴槽温度を上昇することができる。
【００６９】
沸き上げ運転は、制御装置８０の沸き上げ運転部８１により実施される。制御装置８０は、主に料金設定の安価な例えば深夜時間帯に深夜電力を利用し沸き上げ運転を実行する。すなわち、電力供給元との契約に基づく電力コストが比較的安価な所定時間帯に沸き上げ運転を実施する。これにより、貯湯タンク１０に貯める給湯水を沸き上げるために必要な電力コストを抑制することが可能となる。また、制御装置８０は、深夜時間帯以外の時間帯においても、貯湯タンク１０内の貯湯熱量が不足したと判定した場合には沸き上げ運転を実行する。
【００７０】
沸き上げ運転の制御動作について、図４を参照して説明する。制御装置８０は、まず、ステップ１３０で、冷水確保沸き上げ運転が設定されているか否かを判断する。ステップ１３０では、例えば、コントローラ９０の冷水確保沸き上げ運転スイッチ９６がオンされているか否かを判断する。ステップ１３０において冷水確保沸き上げ運転が設定されていると判断した場合には、ステップ１３５へ進む。
【００７１】
ステップ１３５では、浴槽６０内に所定量以上の浴水が残っているか否かを判断する。ステップ１３５では、例えば、水位センサ７３からの入力信号に基づいて残湯検出部８６が検出する所定量以上の浴水の有無の検出結果から判断する。ステップ１３５において浴槽６０内に所定量以上の浴水が残っていると判断した場合には、ステップ１４５へ進む。
【００７２】
ステップ１３０において冷水確保沸き上げ運転が設定されていないと判断した場合、及び、ステップ１３５において浴槽６０内に所定量以上の浴水が残っていないと判断した場合には、ステップ１４０へ進む。ステップ１４０では、通常沸き上げ運転を実施する。通常沸き上げ運転は、制御装置８０の通常沸き上げ運転部８２により実施される。
【００７３】
本実施形態における通常沸き上げ運転とは、例えば、過去の所定期間の熱量使用実績に基づいて目標貯湯熱量を求め、この目標貯湯熱量を貯湯タンク１０の全容量の湯水を用いて貯えるように目標沸き上げ温度を温度決定部８２ａで決定する。温度決定部８２ａは、通常沸き上げ温度決定部に相当する。
【００７４】
通常沸き上げ運転部８２は、温度決定部８２ａで決定した沸き上げ温度となるようにＨＰユニット５０を運転し、貯湯タンク１０内の湯水を沸き上げる。ここで、目標貯湯熱量は、例えば直近の１週間における１日当たり熱量使用実績の最大値とすることができる。また、例えば直近の１週間における１日当たり熱量使用実績の平均値としてもよい。
【００７５】
すなわち、通常沸き上げ運転部８２は、ユーザが使用すると予測される熱量を貯湯タンク１０一杯で賄うことを前提に温度決定部８２ａで沸き上げ温度を算出し、算出した沸き上げ温度で貯湯タンク１０内を湯水を沸き上げる。ステップ１４０を実行し、貯湯タンク１０内に目標貯湯熱量を貯えたら、通常沸き上げ運転を停止して本処理を終了する。
【００７６】
ステップ１３５において浴槽６０内に所定量以上の浴水が残っていると判断した場合には、ステップ１４５において、過去の所定期間に浴水温低下装置３の運転実績があるか否か判断する。ここで、過去の所定期間とは、例えば、直近の１週間とすることができる。
【００７７】
ステップ１４５において過去の所定期間に浴水温低下装置３の運転実績があると判断した場合には、ステップ１５０へ進む。ステップ１５０では、過去の所定期間の浴水温低下装置３の運転実績に基づいて、水量設定部８５で受熱用水量を算出する。受熱用水量の算出に用いる浴水温低下装置３の運転実績値は、例えば、浴水温低下装置３により貯湯タンク１０内へ回収した熱量とすることができる。また、運転実績値として浴水温低下装置３の運転回数を用いてもよい。
【００７８】
ここで、受熱用水量とは、浴水温低下装置３を運転する際に浴水が有する熱を受け取るために貯湯タンク１０の下部に貯えておくことが必要な水量である。ステップ１５０では、水量設定部８５により、浴水温低下装置３を運転して浴槽６０内の浴水温を低下させるために必要な冷水量である受熱用水量を、過去の所定期間の浴水温低下装置３の運転実績から算出して設定する。
【００７９】
ステップ１４５において過去の所定期間に浴水温低下装置３の運転実績がないと判断した場合には、ステップ１５５へ進む。ステップ１５５では、水量設定部８５が受熱用水量を予め決められた所定量に設定する。ステップ１５０及びステップ１５５のいずれかを実行したら、ステップ１６０へ進む。
【００８０】
ステップ１６０では、貯湯タンク１０内の湯水を沸き上げる際の沸き上げ容量を設定する。ステップ１６０では、貯湯タンク１０の容量からステップ１５０又はステップ１５５で設定した受熱用水量を減算して、沸き上げ容量とする。ステップ１６０を実行したら、ステップ１６５へ進む。ステップ１６５では、ステップ１６０で設定した沸き上げ容量の湯水の沸き上げ温度を決定する。ステップ１６５では、冷水確保沸き上げ運転部８３の温度決定部８３ａで、貯湯タンク１０容量から受熱用水量を減算した量の湯水に対して、過去の所定期間の熱量使用実績に基づいて定めた目標貯湯熱量を貯めるように、目標沸き上げ温度を決定する。
【００８１】
ステップ１６５を実行したら、ステップ１７０へ進む。ステップ１７０では、ＨＰユニット５０を沸き上げ装置として、貯湯タンク１０内の湯水の沸き上げ運転を行う。沸き上げ運転は、貯湯タンク１０内に加熱された給湯水を貯めるために実行される。
【００８２】
沸き上げ運転では、制御装置８０が、ＨＰユニット５０を作動させ、三方弁５２を第１継手２２と第１上方開口部１０ｂとを接続するように制御する。したがって、下方開口部１０ａから流出した給湯水あるいは給水配管１１によって供給された水道水は、沸上用水ポンプ５１によって水冷媒熱交換器の水通路へ圧送され、高温高圧冷媒と熱交換することで加熱される。水通路から流出した高温の給湯水は、第１継手２２および三方弁５２を介して、第１上方開口部１０ｂから流入する。すなわち、沸き上げ運転では、貯湯タンク１０内の下部の水が、ＨＰユニット５０により加熱して沸き上げられ、高温水として貯湯タンク１０の上部から貯えられる。
【００８３】
ステップ１７０は、ステップ１７５による監視を行いつつ実行される。ステップ１７５では、沸き上げられた湯の容量が、ステップ１６０で設定された目標沸き上げ容量に到達したか否かを監視する。ステップ１７５において沸き上げ容量が目標沸き上げ容量に到達していないと判断した場合には、ステップ１７０へ戻り、沸き上げ運転を継続する。ステップ１７５において沸き上げ容量が目標沸き上げ容量に到達した場合には、沸き上げ運転を停止して、本処理を終了する。
【００８４】
ステップ１７０による沸き上げ運転は、タンク水温サーミスタ７１によって検出される貯湯タンク１０の所定高さの給湯水の温度が、ステップ１６５で決定された目標沸き上げ温度となるまで実行される。ここで、貯湯タンク１０の所定高さは、目標沸き上げ容量に対応した高さである。図４において一点鎖線で囲んだステップ群１７０Ａからなる冷水確保沸き上げ運転は、制御装置８０の冷水確保沸き上げ運転部８３により実行される。冷水確保沸き上げ運転部８３により冷水確保沸き上げ運転が行なわれているとき、コントローラ９０の運転状態表示部９１ｂには、冷水確保沸き上げ運転が行なわれている旨が表示される。
【００８５】
ここで、制御装置８０の冷水確保沸き上げ運転部８３は、本実施形態における水確保運転部に相当する。また、ステップ群１７０Ａが、水確保運転部に相当すると言うこともできる。冷水確保沸き上げ運転部８３の温度決定部８３ａは、本実施形態における水確保沸き上げ温度決定部に相当する。また、ステップ１６５が、水確保沸き上げ温度決定部に相当すると言うこともできる。
【００８６】
冷水確保沸き上げ運転スイッチ９６は、本実施形態における水確保運転設定部に相当する。そして、設定状態表示部９１ａは、水確保運転設定部において設定された水確保運転部による沸き上げ装置の運転を行うか否かを含む設定状態を表示する表示部である。また、運転状態表示部９１ｂは、水確保運転部による沸き上げ装置の運転が行なわれているか否かの運転状態を表示する表示部である。
【００８７】
上述の構成及び作動によれば、以下に述べる効果を得ることができる。
【００８８】
給湯装置１は、貯湯タンク１０と、沸き上げ装置であるＨＰユニット５０と、浴水温低下装置３と、制御装置８０と、を備える。貯湯タンク１０は、内部に湯水を貯える。沸き上げ装置は、貯湯タンク１０内の下部の水を加熱して沸き上げ、高温水として貯湯タンク１０の上部から貯える。浴水温低下装置３は、浴槽６０の浴水が有する熱を熱交換により貯湯タンク１０の下部の水に移動させて浴水の温度を低下させる。制御装置８０は、沸き上げ装置及び浴水温低下装置３の運転を制御する。
【００８９】
制御装置８０は、水量設定部８５と、沸き上げ運転部８１と、を有する。水量設定部８５は、浴水温低下装置３を運転する際に浴水が有する熱を受ける貯湯タンク１０の下部の水の量を受熱用水量として予め設定する。沸き上げ運転部８１は、沸き上げ装置を運転する。沸き上げ運転部８１は、水量設定部８５が設定した受熱用水量の水を貯湯タンク１０の下部に残すように沸き上げ装置を運転する水確保運転部である冷水確保沸き上げ運転部８３を具備する。
【００９０】
これによると、制御装置８０の沸き上げ運転部８１が、冷水確保沸き上げ運転部８３により沸き上げ装置を運転して貯湯タンク１０内の湯水を沸き上げる場合には、水量設定部８５が予め設定した受熱用水量の水を貯湯タンク１０の下部に残すことができる。したがって、制御装置８０が浴水温低下装置３を運転するときには、浴槽６０の浴水が有する熱を熱交換により貯湯タンク１０の下部に残された水に移動することができる。このようにして、貯湯タンク１０内の湯水との熱交換により浴水の温度を確実に低下させることができる。使用者は、貯湯タンク１０内に給湯に必要な熱量を確保した上で、入浴時に所望する浴水温低下を行なうことができる。
【００９１】
また、水量設定部８５は、所定期間の浴水温低下装置３の運転実績に基づいて、予め設定する受熱用水量を変更する。
【００９２】
これによると、水量設定部８５は、所定期間の浴水温低下装置３の運転実績に応じて受熱用水量を変更することができる。したがって、水確保運転部である冷水確保沸き上げ運転部８３は、浴水の温度低下に必要と予測される水を残すように貯湯タンク１０内の湯水を沸き上げることができる。これにより、浴水の温度低下が充分に行えなかったり、浴水温の低下後に貯湯タンク１０内に多量の水が残ってしまったりすることを抑制することができる。この結果、浴水の温度を確実に低下させることが可能な範囲で、沸き上げ運転時に比較的多量の湯水を沸き上げることができる。
【００９３】
また、水確保運転部である冷水確保沸き上げ運転部８３は、水確保沸き上げ温度決定部である温度決定部８３ａを有する。温度決定部８３ａは、貯湯タンク１０の容量から水量設定部８５が設定した受熱用水量を減算した量の湯水が目標貯湯熱量を貯えるように沸き上げ温度を決定する。冷水確保沸き上げ運転部８３は、温度決定部８３ａが決定した沸き上げ温度で、貯湯タンク１０容量から受熱用水量を減算した量の湯水を沸き上げるように、ＨＰユニット５０を運転する。
【００９４】
これによると、貯湯タンク１０の下部に受熱用水量の水を確保することを前提として、目標貯湯熱量を貯えるように貯湯タンク１０内の湯水を沸き上げることができる。したがって、一度の沸き上げ運転で目標貯湯熱量を確保することが可能である。例えば、深夜時間帯等の電力コストに応じて定まる所定時間帯に、目標貯湯熱量の沸き上げを完了することが可能である。
【００９５】
また、給湯装置１は、水確保運転部である冷水確保沸き上げ運転部８３による沸き上げ装置であるＨＰユニット５０の運転を行うか否かを、使用者が選択的に設定可能な水確保運転設定部である冷水確保沸き上げ運転スイッチ９６を備える。
【００９６】
これによると、使用者が浴水温低下装置３による浴水温の低下を予定しているときには、冷水確保沸き上げ運転スイッチ９６で冷水確保沸き上げ運転部８３による沸き上げ運転を設定して、沸き上げ運転時に貯湯タンク１０の下部に受熱用の水を残すことができる。したがって、使用者が浴水温低下装置３による浴水温の低下を希望するときには、貯湯タンク１０内の湯水との熱交換により浴水の温度を確実に低下させることができる。
【００９７】
また、給湯装置１は、水確保運転設定部である冷水確保沸き上げ運転スイッチ９６において設定された、冷水確保沸き上げ運転部８３による沸き上げ装置の運転を行うか否かの設定状態を表示する設定状態表示部９１ａを備えている。
【００９８】
これによると、水確保運転設定部における沸き上げ運転の設定状態を設定状態表示部９１ａに表示することができる。したがって、浴水温低下装置３による浴水温の低下が可能となる貯湯タンク１０下部に水を確保する沸き上げ運転が行なわれる設定状態であるか否かを、使用者が容易に把握することができる。
【００９９】
また、給湯装置１は、浴槽６０に所定量以上の浴水があるか否かを検出する残湯検出部８６を備えている。そして、沸き上げ運転部８１は、残湯検出部８６が所定量以上の浴水がないことを検出した場合には、水確保運転部である冷水確保沸き上げ運転部８３による沸き上げ装置の運転を禁止する。
【０１００】
これによると、浴槽６０に所定量以上の浴水がないことを残湯検出部８６が検出した場合には、水確保運転部による貯湯タンク１０下部に水を確保する沸き上げ運転を行わない。浴槽６０に所定量以上の浴水がない場合には、浴槽６０への湯張りに伴い貯湯タンク１０下部に受熱用の水が確保される。そのため、水確保運転部による沸き上げ装置の運転を行わなくても、湯張りに伴い貯湯タンク１０下部に確保される水に浴水の有する熱を移動させて、浴水の温度を低下させることができる。
【０１０１】
また、給湯装置１は、水確保運転部による沸き上げ装置の運転が行なわれているか否かの運転状態を表示する運転状態表示部９１ｂを備えている。これによると、水確保運転部による沸き上げ装置の運転を実施しているか否かの運転状態を運転状態表示部に表示することができる。したがって、浴水温低下装置３による浴水温の低下が可能となる貯湯タンク１０下部に水を確保する沸き上げ運転が行なわれているか否かを、使用者が容易に把握することができる。
【０１０２】
（第２の実施形態）
次に、第２の実施形態について図５に基づいて説明する。
【０１０３】
第２の実施形態は、前述の第１の実施形態と比較して、貯湯タンク１０の下部に受熱用の水を残す沸き上げ運転の制御動作が異なる。なお、第１の実施形態と同様の部分については、同一の符号をつけ、その説明を省略する。第１の実施形態に係る図面と同一符号を付した構成部品、第２の実施形態において説明しない他の構成は、第１の実施形態と同様であり、また同様の作用効果を奏するものである。
【０１０４】
本実施形態の貯湯式の給湯装置では、制御装置８０の沸き上げ運転部８１に、第１実施形態で説明した冷水確保沸き上げ運転部８３を設けていない。
【０１０５】
図６に示すように、本実施形態の制御装置８０は、ステップ１６０を実行したら、ステップ２７０へ進み、ステップ１４０と同様の通常沸き上げ運転を実行する。すなわち、過去の所定期間の熱量使用実績に基づいて目標貯湯熱量を求め、この目標貯湯熱量を貯湯タンク１０の全容量の湯水を用いて貯えるように目標沸き上げ温度を温度決定部８２ａで決定する。温度決定部８２ａは、通常沸き上げ温度決定部に相当する。通常沸き上げ運転部８２は、温度決定部８２ａで決定した沸き上げ温度となるようにＨＰユニット５０を運転し、貯湯タンク１０内の湯水を沸き上げる。
【０１０６】
本実施形態では、ステップ２７０を、ステップ１７５による監視を行いつつ実行する。ステップ１７５では、沸き上げられた湯の容量が、ステップ１６０で設定された目標沸き上げ容量に到達したか否かを監視する。ステップ１７５において沸き上げ容量が目標沸き上げ容量に到達していないと判断した場合には、ステップ２７０へ戻り、通常沸き上げ運転を継続する。ステップ１７５において沸き上げ容量が目標沸き上げ容量に到達したと判断した場合には、沸き上げ運転を停止して、本処理を終了する。
【０１０７】
すなわち、ステップ２７０による通常沸き上げ運転は、タンク水温サーミスタ７１によって検出される貯湯タンク１０の所定高さの給湯水の温度が、ステップ２７０で決定された目標沸き上げ温度となるまで実行される。ここで、貯湯タンク１０の所定高さは、ステップ１６０で設定された目標沸き上げ容量に対応した高さである。
【０１０８】
制御装置８０により、図６において一点鎖線で囲んだステップ群２７０Ａが実行されて冷水確保沸き上げ運転が行なわれているとき、コントローラ９０の運転状態表示部９１ｂには、冷水確保沸き上げ運転が行なわれている旨の表示をすることができる。ステップ１４０が実行されて通常沸き上げ運転が行なわれているときには、運転状態表示部９１ｂには、通常の沸き上げ運転が行なわれている旨の表示をすることができる。
【０１０９】
ここで、図６に示すステップ群２７０Ａは、本実施形態における水確保運転部に相当する。また、通常沸き上げ運転部８２の温度決定部８２ａは、本実施形態における通常沸き上げ温度決定部に相当する。
【０１１０】
本実施形態の給湯装置では、水確保運転部は、貯湯タンク１０の容量の湯水が目標貯湯熱量を貯えるように沸き上げ温度を決定する通常沸き上げ温度決定部である温度決定部８２ａを有していると言える。制御装置８０は、通常沸き上げ温度決定部が決定した沸き上げ温度で沸き上げ装置を運転し、貯湯タンク１０の容量から水量設定部８５が設定した受熱用水量を減算した量の湯水を沸き上げた時点で、沸き上げ装置の運転を中止する。
【０１１１】
これによると、貯湯タンク１０の全容量の湯水に目標貯湯熱量を貯えるように設定された通常沸き上げ温度で貯湯タンク１０内の湯水を沸き上げていき、受熱用水量を除く量の湯水が沸き上がった時点で沸き上げ運転を中止することができる。したがって、比較的低い沸き上げ温度で沸き上げ運転を行うことができ、沸き上げ装置の運転効率を高めて省エネルギ性を確保することができる。
【０１１２】
（他の実施形態）
この明細書に開示される技術は、その開示技術を実施するための実施形態に何ら制限されることなく、種々変形して実施することが可能である。開示される技術は、実施形態において示された組み合わせに限定されることなく、種々の組み合わせによって実施可能である。実施形態は追加的な部分をもつことができる。実施形態の部分は、省略される場合がある。実施形態の部分は、他の実施形態の部分と置き換え、または組み合わせることも可能である。実施形態の構造、作用、効果は、あくまで例示である。開示技術の技術的範囲は、実施形態の記載に限定されない。開示技術のいくつかの技術的範囲は、特許請求の範囲の記載によって示され、さらに特許請求の範囲の記載と均等の意味及び範囲内での全ての変更を含むものと解されるべきである。
【０１１３】
上記実施形態では、浴槽６０内に所定量以上の浴水が残っているか否かを検出して、浴槽６０内に所定量以上の浴水が残っていない場合には冷水確保沸き上げを行なわないものであったが、これに限定されるものではない。例えば、残湯検出を行なわず、ステップ１３５の判定ステップを実施しないものであってもよい。
【０１１４】
また、上記実施形態では、ＨＰユニット５０が冷水を確保する沸き上げ運転を行うか否かを、使用者が選択的に設定可能な水確保運転設定部として冷水確保沸き上げ運転スイッチ９６を備えていたが、これに限定されるものではない。例えば、水確保運転設定部を有さず、ステップ１３０の判定ステップを実施しないものであってもよい。
【０１１５】
また、上記実施形態では、ステップ１４５において所定期間に浴水温低下装置３の運転実績がないと判断した場合には、受熱用水量を予め決められた所定量に設定して冷水を確保する沸き上げ運転を行うものであったが、これに限定されるものではない。例えば図６に示すように、所定期間に浴水温低下装置３の運転実績がないと判断した場合には、通常沸き上げ運転を行うものであってもよい。
【０１１６】
また、上記実施形態では、ステップ１４５において所定期間に浴水温低下装置３の運転実績があると判断した場合には、この実績に基づいて、貯湯タンク１０の下部に残す受熱用水量を変更するものであったが、これに限定されるものではない。例えば、沸き上げ運転を行う際には、常に一定量の受熱用の冷水を残すように貯湯タンク１０内の湯水を沸き上げるものであってもよい。
【０１１７】
また、上記実施形態では、ＨＰユニット５０を沸き上げ装置としていたが、これに限定されるものではなく、例えば、電気ヒータ等であってもかまわない。
【符号の説明】
【０１１８】
１  給湯装置
３  浴水温低下装置
１０  貯湯タンク
５０  ヒートポンプユニット（沸き上げ装置）
６０  浴槽
８０  制御装置
８１  沸き上げ運転部
８３  冷水確保沸き上げ運転部（水確保運転部）
８５  水量設定部
１７０Ａ、２７０Ａ  ステップ群（水確保運転部）
【図１】
0006500802.tif 000002
【図２】
0006500802.tif 000003
【図３】
0006500802.tif 000004
【図４】
0006500802.tif 000005
【図５】
0006500802.tif 000006
【図６】
0006500802.tif 000007